(57)【要約】【課題】より安価で防水性能を実現することができる照明装置及び光源ユニットを提供する。【解決手段】箱体をなし、箱体の一面側に長尺の開口部が設けられた照明装置本体部と、長尺の板体をなし、板体の端部それぞれに形成された開口に連通する中空部を有する合成樹脂製の光源カバーと、光源カバーの中空部に収容された光源部と、光源カバーの端部に装着され、中空部を密閉する合成樹脂製の密閉部とを備え、開口部を覆うように光源カバーを照明装置本体部に装着してある。【選択図】図３
2018081785.tif 000002
【特許請求の範囲】
【請求項１】
箱体をなし、該箱体の一面側に長尺の開口部が設けられた照明装置本体部と、
長尺の板体をなし、該板体の端部それぞれに形成された開口に連通する中空部を有する光源カバーと、
該光源カバーの中空部に収容された光源部と、
前記光源カバーの前記端部に装着され、前記中空部を密閉する密閉部と
を備え、
前記開口部を覆うように前記光源カバーを前記照明装置本体部に装着してあることを特徴とする照明装置。
【請求項２】
前記密閉部は、
弾性を有し、前記中空部の前記開口側に内挿される内挿部と、
該内挿部の一端側に設けられ、前記開口より大きい形状であって前記光源カバーの端部に当接する当接部と
を備えることを特徴とする請求項１に記載の照明装置。
【請求項３】
前記内挿部は、
前記光源カバーの前記開口側の内周壁に密着する外周壁と、
該外周壁の周方向に沿って形成された突条部と
を備えることを特徴とする請求項２に記載の照明装置。
【請求項４】
前記光源部は、
ＬＥＤが実装された長尺の基板と、
該基板を保持する放熱板と
を備えることを特徴とする請求項１から請求項３のいずれか一項に記載の照明装置。
【請求項５】
前記放熱板は、
長尺の底板と、
該底板の両縁部から立設された一対の側板と、
該一対の側板それぞれの対向面側に形成された溝部と
を備え、
前記基板の両縁部を前記溝部に嵌合させて前記基板を保持することを特徴とする請求項４に記載の照明装置。
【請求項６】
前記溝部に嵌合する１対の嵌合板と、該１対の嵌合板から延設され該１対の嵌合板を離れる方向に付勢する付勢板とを有し、前記基板の移動を規制する規制板を備えることを特徴とする請求項５に記載の照明装置。
【請求項７】
一端が前記放熱板に当接し、他端が前記光源カバーの前記放熱板と対向する内周壁に当接する弾性部材を備えることを特徴とする請求項１から請求項６のいずれか一項に記載の照明装置。
【請求項８】
長尺の板体をなし、該板体の端部それぞれに形成された開口に連通する中空部を有する光源カバーと、
該光源カバーの中空部に収容された光源部と、
前記光源カバーの前記端部に装着され、前記中空部を密閉する密閉部と
を備えることを特徴とする光源ユニット。
【発明の詳細な説明】
【技術分野】
【０００１】
本発明は、照明装置及び該照明装置を構成する光源ユニットに関する。
【背景技術】
【０００２】
近年、蛍光灯などに比べて、省電力、長寿命及び高輝度化という点で優れた発光ダイオード（ＬＥＤ）が光源として照明装置に使用されている。
【０００３】
このような照明装置は、例えば、横長の直方体状に形成された筐体の前面に開口が開設され、開口は合成樹脂製の透明カバーで覆われている。筐体内部には、ライン状のＬＥＤ素子モジュールで構成される照明部が格納されている（特許文献１参照）。
【先行技術文献】
【特許文献】
【０００４】
【特許文献１】特開２０１２−１４６５２７号公報
【発明の概要】
【発明が解決しようとする課題】
【０００５】
特許文献１の照明装置のように屋外で使用する照明装置は、防水性能が必要となる。しかし、筐体全体を防水構造とするには、筐体を構成する部品間に多くのパッキン等を用いる必要があり、また筐体と透明カバーとの隙間にも大きな形状のパッキン等を設ける必要がありコストアップとなる。
【０００６】
本発明は斯かる事情に鑑みてなされたものであり、より安価で防水性能を実現することができる照明装置及び該照明装置を構成する光源ユニットを提供することを目的とする。
【課題を解決するための手段】
【０００７】
本発明に係る照明装置は、箱体をなし、該箱体の一面側に長尺の開口部が設けられた照明装置本体部と、長尺の板体をなし、該板体の端部それぞれに形成された開口に連通する中空部を有する光源カバーと、該光源カバーの中空部に収容された光源部と、前記光源カバーの前記端部に装着され、前記中空部を密閉する密閉部とを備え、前記開口部を覆うように前記光源カバーを前記照明装置本体部に装着してあることを特徴とする。
【０００８】
本発明に係る照明装置において、前記密閉部は、弾性を有し、前記中空部の前記開口側に内挿される内挿部と、該内挿部の一端側に設けられ、前記開口より大きい形状であって前記光源カバーの端部に当接する当接部とを備えることを特徴とする。
【０００９】
本発明に係る照明装置において、前記内挿部は、前記光源カバーの前記開口側の内周壁に密着する外周壁と、該外周壁の周方向に沿って形成された突条部とを備えることを特徴とする。
【００１０】
本発明に係る照明装置において、前記光源部は、ＬＥＤが実装された長尺の基板と、該基板を保持する放熱板とを備えることを特徴とする。
【００１１】
本発明に係る照明装置において、前記放熱板は、長尺の底板と、該底板の両縁部から立設された一対の側板と、該一対の側板それぞれの対向面側に形成された溝部とを備え、前記基板の両縁部を前記溝部に嵌合させて前記基板を保持することを特徴とする。
【００１２】
本発明に係る照明装置は、前記溝部に嵌合する１対の嵌合板と、該１対の嵌合板から延設され該１対の嵌合板を離れる方向に付勢する付勢板とを有し、前記基板の移動を規制する規制板を備えることを特徴とする。
【００１３】
本発明に係る照明装置は、一端が前記放熱板に当接し、他端が前記光源カバーの前記放熱板と対向する内周壁に当接する弾性部材を備えることを特徴とする。
【００１４】
本発明に係る光源ユニットは、長尺の板体をなし、該板体の端部それぞれに形成された開口に連通する中空部を有する光源カバーと、該光源カバーの中空部に収容された光源部と、前記光源カバーの前記端部に装着され、前記中空部を密閉する密閉部とを備えることを特徴とする。
【発明の効果】
【００１５】
本発明によれば、より安価で防水性能を実現することができる。
【図面の簡単な説明】
【００１６】
【図１】本実施の形態の照明装置の構成の一例を示す外観斜視図である。
【図２】本実施の形態の照明装置の構成の一例を示す分解斜視図である。
【図３】本実施の形態の光源ユニットの構成の一例を示す分解斜視図である。
【図４】本実施の形態の光源ユニットの構成の一例を示す平面図である。
【図５】本実施の形態の光源カバーの構成の一例を示す正面図である。
【図６】本実施の形態の密閉部の構成の一例を示す平面図である。
【図７】本実施の形態の光源側板の構成の一例を示す正面図である。
【図８】本実施の形態の光源カバーに基板及び放熱板を収容した状態の一例を示す正面図である。
【図９】本実施の形態の放熱板の一例を示す正面図である。
【図１０】本実施の形態の光源カバーに固定ばね及び押さえばねを取り付けた状態の一例を示す正面図である。
【図１１】押さえばねの構成の一例を示す正面図である。
【図１２】固定ばねの構成の一例を示す側面図である。
【発明を実施するための形態】
【００１７】
以下、本発明をその実施の形態を示す図面に基づいて説明する。図１は本実施の形態の照明装置１００の構成の一例を示す外観斜視図である。照明装置１００は、照明装置本体部１０及び光源ユニット２０などを備える。照明装置本体部１０は、断面形状がＵ字状であって、長尺の本体１１、及び本体１１の両端に固定された側板１２、１２などで構成される。すなわち、照明装置本体部１０は、箱体をなし、箱体の一面側に長尺の開口部を設けた構造をなす。本体１１の材質は、例えば、ステンレス鋼とすることができるが、これに限定されない。側板１２の材質は、例えば、ポリプリピレンとすることができるが、これに限定されない。
【００１８】
光源ユニット２０は、長尺の板体をなし、板体の端部それぞれに形成された開口に連通する中空部を有する合成樹脂製の光源カバー３０を備える。光源カバー３０の材質は、例えば、拡散材を含有するポリカーボネイトとすることができるが、これに限定されない。また、光源カバー３０は、例えば、乳白色であって光透過性を有する。光源カバー３０の両端には、光源側板７０、７０を装着している。光源側板７０の材料は、例えば、ポリプロピレンとすることができるが、これに限定されない。光源ユニット２０の詳細は後述する。
【００１９】
図２は本実施の形態の照明装置１００の構成の一例を示す分解斜視図である。図２は照明装置本体部１０の長尺の開口部１から光源ユニット２０を取り外した状態を示す。本体１１の内部には、電源ユニット１３を装着している。電源ユニット１３全体は、例えば、防水構造となっている。本体１１の内側の所要の４箇所には、ねじ孔が形成されたＬ字金具１４を固定してある。光源カバー３０の、Ｌ字金具１４のねじ孔に対応する位置には、ねじ１７を挿通させる挿通孔３１を形成してある。ねじ１７を、光源カバー３０の挿通孔３１、及び取付金具１６に形成された孔に挿通させてＬ字金具１４のねじ孔に螺合させることにより、開口部１を覆うように光源ユニット２０を照明装置本体部１０に装着することができる。また、図２に示すように、一端が本体１１に固定され、他端が取付金具１６に固定された傾斜板１５を用いることにより、照明装置本体部１０から光源ユニット２０を取り外す際の落下を防止することができる。また、取付金具１６には、後述のスライドボルト（不図示）がナット１８（例えば、フランジナット）により固定されている。
【００２０】
図３は本実施の形態の光源ユニット２０の構成の一例を示す分解斜視図である。図３では、便宜上、光源ユニット２０の一端側だけを図示している。図３に示すように、光源カバー３０の端部に形成された開口３６は、中空部（後述の図５に示す符号３２）に連通している。光源部を構成する基板５０、及び放熱板４０が光源カバー３０の中空部に収容される。
【００２１】
基板５０は長尺であって、光源カバー３０の長さよりも短い。基板５０の表面には複数のＬＥＤ５１が実装されている。
【００２２】
放熱板４０は長尺であって、基板５０の長さとほぼ同じ長さである。放熱板４０の材質は、例えば、アルミニウム又はアルミニウム合金であり、表面はアルマイト処理が施されている。放熱板４０の両側板に形成された溝部４４、４４に基板５０の両縁部５２、５２を嵌合させることによって、放熱板４０は基板５０を保持する。基板５０のＬＥＤ５１が実装された実装面（発光面）は、放熱板４０と反対側を向いている。
【００２３】
図４は本実施の形態の光源ユニット２０の構成の一例を示す平面図である。図４は基板５０のＬＥＤ５１の実装面側から見た状態を示す。基板５０及び放熱板４０は、光源カバー３０の中空部に収容されているので、便宜上破線で示す。基板５０のＬＥＤ５１からの光は、光源カバー３０を透過する際に拡散され、広い範囲に照射される。
【００２４】
図３に戻って、密閉部６０は、光源カバー３０の端部に装着され、光源カバー３０の中空部を密閉する。密閉部６０の材質は、合成樹脂製であり、例えば、シリコンゴムなどであるが、これに限定されない。密閉部６０は、シリコンパッキングとも称する。
【００２５】
密閉部６０の光源カバー３０と反対側の端部には、前述の光源側板７０が、ねじ１７及び平座金７２によって固定され、その結果、光源側板７０及び密閉部６０が光源カバー３０に固定される。
【００２６】
前述のように、照明装置本体部１０の開口部１を覆うように光源カバー３０を照明装置本体部１０に装着してある。光源カバー３０を光透過性にすれば、ＬＥＤ５１からの光は光源カバー３０を通じて外部へ照射される。
【００２７】
また、中空部に基板５０及び放熱板４０が収容された光源カバー３０の端部の開口３６に、合成樹脂製の密閉部６０を装着して中空部を密閉するので、光源ユニット２０を防水構造とすることができる。なお、照明装置本体部１０の内部に基板５０に電力を供給する電源ユニット１３を収容し、電源ユニット１３全体を防水構造としているので、照明装置本体部１０を防水構造とする必要はない。また、光源カバー３０の両端部に密閉部６０を装着するだけなので、多くのパッキン、あるいは形状が大きなパッキン等を用いる必要がなく、より安価にすることができる。
【００２８】
次に、光源ユニット２０の詳細について説明する。
【００２９】
図５は本実施の形態の光源カバー３０の構成の一例を示す正面図である。図５は光源カバー３０の端部を見た状態を示す。図５に示すように、光源カバー３０は、開口３６と連通し、断面形状が矩形状又は楕円形状の中空部３２を有する。中空部３２は、光源カバー３０の内周壁３０１によって囲まれている。
【００３０】
カバー本体３３は、断面形状が中空部３２の外形と同様の矩形状又は楕円形状をなす。カバー本体３３の両側端には、前述のねじ１７が螺合するねじ孔３４、３４が設けられている。カバー本体３３の上側には、隙間３７を設けるようにＬ字状のレール部３５、３５が長手方向に沿って設けられている。また、カバー本体３３の下側は、外方向に向かって適長の長さだけ延設された延設部３８、３８を備える。各延設部３８には孔３１が設けられている。
【００３１】
光源カバー３０の隙間３７（図５参照）には、図３に示すように、隙間３７の幅と同寸法の幅を有するスライドボルト１９を摺動させることができる。スライドボルト１９は、ナット（フランジナット）１８によって取付金具１６に取り付けることができる。スライドボルト１９を隙間３７の長手方向に沿ってスライドさせることによって、取付金具１６の位置を微調整することができ、ねじ孔の位置合わせが容易になり、光源ユニット２０を照明装置本体部１０に取り付け易くなる。
【００３２】
図６は本実施の形態の密閉部６０の構成の一例を示す平面図である。図６に示すように、密閉部６０は、弾性を有し、中空部３２の開口３６側に内挿される内挿部６６と、内挿部６６の一端側に設けられ、開口３６より大きい形状であって光源カバー３０の端部に当接する当接部６１とを備える。内挿部６６の外周の大きさ（例えば、縦横寸法）は、光源カバー３０の中空部３２の開口３６側の内周の大きさ（例えば、縦横寸法）よりも若干大きくしてある。これにより、内挿部６６が中空部３２の開口３６側に内挿された場合、内挿部６６は外側から内側に向かって圧縮された状態となる。
【００３３】
当接部６１の両端側には、前述のねじ１７を挿通させる挿通孔６５、６５を設けている。また、当接部６１には、適長離隔して光源側板７０の方に向かって突起する突起部６２、６２を設けている。
【００３４】
当接部６１が光源カバー３０の端部に当接するまで、内挿部６６を光源カバー３０の開口３６から中空部３２の奥に向かって挿入する。内挿部６６は弾性を有するので外側から内側に向かって圧縮され、内挿部６６の外周面を光源カバー３０の内周面に密着させることができ、開口３６を介して水が侵入することを防止することができる。
【００３５】
さらに具体的には、図６に示すように、内挿部６６は、光源カバー３０の開口３６側の内周壁３０１に密着する外周壁６３と、外周壁６３の周方向に沿って形成された突条部６４とを備える。突条部６４は弾性を有するので、外周壁６３と交差する方向（例えば、直交する方法）に沿って伸縮（変形）することができる。
【００３６】
光源カバー３０の外側から水圧（外圧）が掛かって光源カバー３０に対して外側から内側に向かう力が作用しても、内挿部６６の突条部６４が圧縮して圧縮力が反作用として働くので、光源カバー３０が外圧によって変形することを、内挿部６６が抑制することができ、光源カバー３０の強度を増加させることができる。
【００３７】
また、ＬＥＤ５１が消灯状態のときに光源カバー３０が内側に向かって縮んだとしても、内挿部６６の突条部６４が圧縮して圧縮力が反作用として働くので、内挿部６６の内周壁６３と光源カバー３０の外周壁３０１との間の密着性が保たれ、水の浸入を防止することができる。また、ＬＥＤ５１が点灯状態のときに光源カバー３０が外側に向かって伸びたとしても、内挿部６６の突条部６４が変形して内挿部６６の内周壁６３と光源カバー３０の外周壁３０１との間の密着性が保たれ、水の浸入を防止することができる。また、ＬＥＤ５１が点灯状態の場合、密閉された中空部３２の圧力が上昇するので、外部から水の浸入をさらに防止することができる。
【００３８】
図７は本実施の形態の光源側板７０の構成の一例を示す正面図である。図７は光源側板７０の密閉部６０側から見た状態を示す。図７に示すように、光源側板７０は、側板７５、及び側板７５の周縁に沿って設けられた枠部７１を有する。枠部７１は、密閉部６０の当接部６１が側板７５に当接して枠部７１の内側に嵌合するように、当接部６１の外形の形状に合わせた形状を有する。
【００３９】
側板７５の両端側には、ねじ１７を挿通させる挿通孔７４、７４を設けている。また、側板７５には、密閉部６０の突起部６２の位置に合わせて突起部６２が嵌合する凹部７３、７３を適長離隔して設けている。凹部７３を設けることにより、光源側板７０と密閉部６０との位置決めが容易になり、光源側板７０を確実に固定することができる。
【００４０】
また、光源側板７０の下側には、光源カバー３０の光透過側の外形形状に合わせた形状を有する化粧板７２を設けている。これにより、光源カバー３０の光透過側の形状と光源側板７０の形状とが平面状となり、美観が良くなる。
【００４１】
図８は本実施の形態の光源カバー３０に基板５０及び放熱板４０を収容した状態の一例を示す正面図である。図８では、便宜上、密閉部６０及び光源側板７０は除外している。図８に示すように、放熱板４０によって保持された基板５０のＬＥＤ（不図示）の実装面が下側（光源カバー３０の光透過側）に向かうようにして基板５０及び放熱板４０を中空部３２に収容している。
【００４２】
ＬＥＤ５１が実装された基板５０を光源部として用いることにより、中空部３２の基板５０と直交する方向（図８において、縦方向）の寸法を小さくすることができ、結果として、光源カバー３０の厚みを一層薄くすることができる。また、放熱板４０によって基板５０を保持するとともに、基板５０と放熱板４０とを密着させるので、ＬＥＤ５１の熱を放熱することができる。
【００４３】
図９は本実施の形態の放熱板４０の一例を示す正面図である。図９に示すように、放熱板４０は、長尺の底板４１と、底板４１の両縁部から立設された一対の側板４３、４３と、一対の側板４３、４３のそれぞれの対向面側に形成された溝部４４、４４とを備える。そして、図８に示すように、放熱板４０は、基板５０の両方の縁部（両縁部）５２、５２を溝部４４、４４に嵌合させて基板５０を保持する。
【００４４】
底板４１の側板４３と反対側の外周面には、長手方向に沿って適長の切り欠き部４２を設けている。
【００４５】
基板５０の縁部５２、５２を溝部４４、４４に沿って底板４１の長手方向にスライドさせることにより、基板５０を放熱板４０に保持することができ、放熱板４０及び基板５０を光源カバー３０の中空部３２に容易に収容することができる。
【００４６】
また、図８及び図９に示すように、放熱板４０の側板４３及び側板４３の先端部４５が、光源カバー３０の内周壁３０１に当接するようにして放熱板４０が内周壁３０１内に嵌合することができるので、中空部３２内での放熱板４０の位置を決めることができる。
【００４７】
図１０は本実施の形態の光源カバー３０に固定ばね８０及び押さえばね９０を取り付けた状態の一例を示す正面図であり、図１１は押さえばね９０の構成の一例を示す正面図であり、図１２は固定ばね８０の構成の一例を示す側面図である。
【００４８】
図１１に示すように、押さえばね９０は、規制板としての機能を有し、放熱板４０の溝部４４に嵌合する１対の嵌合板９１、９１と、１対の嵌合板９１、９１から延設され１対の嵌合板９１、９１を離れる方向に付勢する付勢板９２とを有し、基板５０の長手方向の移動を規制する。
【００４９】
押さえばね９０の材質は、弾性を有するステンレス鋼とすることができるが、弾性を有するものであれば、これに限定されない。
【００５０】
図３に示すように、押さえばね９０は、基板５０を溝部４４に沿ってスライドさせて放熱板４０に取り付けた後に、基板５０の端部に向かって押さえばね９０を放熱板４０に取り付ける。具体的には、図１０に示すように、嵌合板９１を溝部４４に嵌合させる。付勢板９２は、１対の嵌合板９１が離れる方向に付勢するので、嵌合板９１が押されて溝部４４に嵌合する。嵌合板９１を溝部４４に嵌合させることによって、嵌合板９１は基板５０の端部に当接し、基板５０の溝部４４に沿う方向（長手方向）の移動を規制することができ、基板５０を放熱板４０に固定することができる。
【００５１】
図１２に示すように、固定ばね８０は、弾性部材としての機能を有し、細長の板材を中央部で屈曲させて第１板部８１及び第２板部８２を有する。第２板部８２の幅は、前述の切り欠き部４２の幅と同寸法を有する。固定ばね８０の材質は、弾性を有するステンレス鋼とすることができるが、弾性を有するものであれば、これに限定されない。
【００５２】
そして、図１０に示すように、第２板部８２の端部８２１を切り欠き部４２に嵌合するように放熱板４０に当接させ、第１板部８１の端部８１１を、光源カバー３０の放熱板４０と対向する内周壁３０１に当接する。この状態で、端部８１１、８２１同士の離隔距離が元の距離よりも短くなるように固定ばね８０が抑えられるので、固定ばね８０は、放熱板４０を基板５０の方に向かって押圧する。
【００５３】
すなわち、固定ばね８０は、放熱板４０と対向する内周壁３０１の方から放熱板４０に向かって放熱板４０を押圧するので、放熱板４０を中空部３２の所定位置に保持することができる。
【００５４】
本実施の形態の照明装置１００は、例えば、本体１１の天板の所要箇所に設けられた取付孔に所定のボルトを固定することにより、天井又は屋外の支柱などに取り付けることができる。電源ユニット１３全体が防水構造であるとともに、光源部を収容する光源ユニット２０が防水構造であるので、本実施の形態の照明装置１００は、工場、プラント、倉庫などの屋内外エリアにおいて使用することができる。
【００５５】
本実施の形態において、電源ユニット１３と光源ユニット２０とを繋ぐ配線は、例えば、防水コネクタなどを用いて接続すればよい。
【００５６】
本実施の形態に係る照明装置は、箱体をなし、該箱体の一面側に長尺の開口部が設けられた照明装置本体部と、長尺の板体をなし、該板体の端部それぞれに形成された開口に連通する中空部を有する光源カバーと、該光源カバーの中空部に収容された光源部と、前記光源カバーの前記端部に装着され、前記中空部を密閉する密閉部とを備え、前記開口部を覆うように前記光源カバーを前記照明装置本体部に装着してあることを特徴とする。
【００５７】
本実施の形態に係る光源ユニットは、長尺の板体をなし、該板体の端部それぞれに形成された開口に連通する中空部を有する光源カバーと、該光源カバーの中空部に収容された光源部と、前記光源カバーの前記端部に装着され、前記中空部を密閉する密閉部とを備えることを特徴とする。
【００５８】
光源ユニットは、長尺の板体をなし、板体の端部それぞれに形成された開口に連通する中空部を有する光源カバーと、光源カバーの中空部に収容された光源部と、光源カバーの端部に装着され、中空部を密閉する密閉部とを備える。
【００５９】
照明装置は、光源ユニットと、箱体をなし、箱体の一面側に長尺の開口部が設けられた照明装置本体部とを備える。そして、開口部を覆うように光源カバーを照明装置本体部に装着してある。光源カバーを光透過性にすれば、光源部からの光は光源カバーを通じて外部へ照射される。
【００６０】
中空部に光源部が収容された光源カバーの端部の開口に密閉部を装着して中空部を密閉するので、光源ユニットを防水構造とすることができる。なお、照明装置本体部の内部に光源部に電力を供給する電源部を収容し、電源部全体を防水構造とすれば、照明装置本体部を防水構造とする必要はない。また、光源カバーの両端部に密閉部を装着するだけなので、多くのパッキン、あるいは形状が大きなパッキン等を用いる必要がなく、より安価にすることができる。
【００６１】
本実施の形態に係る照明装置において、前記密閉部は、弾性を有し、前記中空部の前記開口側に内挿される内挿部と、該内挿部の一端側に設けられ、前記開口より大きい形状であって前記光源カバーの端部に当接する当接部とを備えることを特徴とする。
【００６２】
密閉部は、弾性を有し、中空部の開口側に内挿される内挿部と、内挿部の一端側に設けられ、開口より大きい形状であって光源カバーの端部に当接する当接部とを備える。
【００６３】
当接部が光源カバーの端部に当接するまで、内挿部を光源カバーの開口から中空部の奥に向かって挿入する。内挿部は弾性を有するので、内挿部の外周面を光源カバーの内周面に密着させることができ、開口を介して水が侵入することを防止することができる。
【００６４】
本実施の形態に係る照明装置において、前記内挿部は、前記光源カバーの前記開口側の内周壁に密着する外周壁と、該外周壁の周方向に沿って形成された突条部とを備えることを特徴とする。
【００６５】
内挿部は、光源カバーの開口側の内周壁に密着する外周壁と、外周壁の周方向に沿って形成された突条部とを備える。突条部は弾性を有するので、外周壁と交差する方向（例えば、直交する方法）に沿って伸縮（変形）することができる。
【００６６】
光源カバーの外側から水圧が掛かって光源カバーに対して外側から内側に向かう力が作用しても、内挿部の突条部が圧縮して圧縮力が反作用として働くので、光源カバーの強度を増加させることができる。また、光源部が消灯状態のときに光源カバーが内側に向かって縮んだとしても、内挿部の突条部が圧縮して圧縮力が反作用として働くので、内挿部の内周壁と光源カバーの外周壁との間の密着性が保たれ、水の浸入を防止することができる。また、光源部が点灯状態のときに光源カバーが外側に向かって伸びたとしても、内挿部の突条部が変形して内挿部の内周壁と光源カバーの外周壁との間の密着性が保たれ、水の浸入を防止することができる。また、光源部が点灯状態の場合、密閉された中空部の圧力が上昇するので、外部から水の浸入をさらに防止することができる。
【００６７】
本実施の形態に係る照明装置において、前記光源部は、ＬＥＤが実装された長尺の基板と、該基板を保持する放熱板とを備えることを特徴とする。
【００６８】
光源部は、ＬＥＤが実装された長尺の基板と、基板を保持する放熱板とを備える。ＬＥＤが実装された基板を用いることにより、中空部の基板と直交する方向の寸法を小さくすることができ、結果として、光源カバーの厚みを一層薄くすることができる。また、放熱板によって基板を保持するので、ＬＥＤの熱を放熱することができる。
【００６９】
本実施の形態に係る照明装置において、前記放熱板は、長尺の底板と、該底板の両縁部から立設された一対の側板と、該一対の側板それぞれの対向面側に形成された溝部とを備え、前記基板の両縁部を前記溝部に嵌合させて前記基板を保持することを特徴とする。
【００７０】
放熱板は、長尺の底板と、底板の両縁部から立設された一対の側板と、一対の側板それぞれの対向面側に形成された溝部とを備える。そして、放熱板は、基板の両縁部を溝部に嵌合させて基板を保持する。
【００７１】
基板の両縁部を溝部に沿って底板の長手方向にスライドさせることにより、基板を放熱板に保持することができ、放熱板及び基板を光源カバーの中空部に容易に収容することができる。
【００７２】
本実施の形態に係る照明装置は、前記溝部に嵌合する１対の嵌合板と、該１対の嵌合板から延設され該１対の嵌合板を離れる方向に付勢する付勢板とを有し、前記基板の移動を規制する規制板を備えることを特徴とする。
【００７３】
規制板は、溝部に嵌合する１対の嵌合板と、１対の嵌合板から延設され１対の嵌合板を離れる方向に付勢する付勢板とを有し、基板の移動を規制する。付勢板は、１対の嵌合板が離れる方向に付勢するので、嵌合板が押されて溝部に嵌合する。嵌合板を溝部に嵌合させることによって、嵌合板は基板の端部に当接し、基板の溝部に沿う方向の移動を規制することができ、基板を放熱板に固定することができる。
【００７４】
本実施の形態に係る照明装置は、一端が前記放熱板に当接し、他端が前記光源カバーの前記放熱板と対向する内周壁に当接する弾性部材を備えることを特徴とする。
【００７５】
弾性部材は、一端が放熱板に当接し、他端が光源カバーの放熱板と対向する内周壁に当接する。これにより、弾性部材は内周壁の方から放熱板に向かって放熱板を押圧するので、放熱板を中空部の所定位置に保持することができる。
【符号の説明】
【００７６】
１  開口部
１０  照明装置本体部
２０  光源ユニット
３０  光源カバー
３２  中空部
３６  開口
３０１  内周壁
４０  放熱板
４１  底板
４３  側板
４４  溝部
５０  基板
５１  ＬＥＤ
５２  縁部（両縁部）
６０  密閉部
６１  当接部
６３  外周壁
６４  突条部
６６  内挿部
７０  光源側板
８０  固定ばね
９０  押さえばね
９１  嵌合板
９２  付勢板
【図１】
2018081785.tif 000003
【図２】
2018081785.tif 000004
【図３】
2018081785.tif 000005
【図４】
2018081785.tif 000006
【図５】
2018081785.tif 000007
【図６】
2018081785.tif 000008
【図７】
2018081785.tif 000009
【図８】
2018081785.tif 000010
【図９】
2018081785.tif 000011
【図１０】
2018081785.tif 000012
【図１１】
2018081785.tif 000013
【図１２】
2018081785.tif 000014
【手続補正書】
【提出日】平成29年12月1日(2017.12.1)
【手続補正１】
【補正対象書類名】明細書
【補正対象項目名】０００７
【補正方法】変更
【補正の内容】
【０００７】
本発明に係る照明装置は、箱体をなし、該箱体の一面側に長尺の開口部が設けられた照明装置本体部と、長尺の板体をなし、該板体の端部それぞれに形成された開口に連通する中空部を有する光源カバーと、該光源カバーの中空部に収容された光源部と、前記光源カバーの前記端部に装着され、前記中空部を密閉する密閉部とを備え、前記開口部を覆うように前記光源カバーを前記照明装置本体部に装着してあり、前記密閉部は、弾性を有し、前記中空部の開口側に内挿される内挿部を有し、該内挿部が前記中空部の開口側に内挿された場合、該内挿部は外側から内側に向かって圧縮された状態となり、前記光源部は、ＬＥＤが実装された長尺の基板と、該基板を保持する放熱板とを備え、前記放熱板は、長尺の底板と、該底板の両縁部から立設された一対の側板と、該一対の側板それぞれの対向面側に形成された溝部とを備え、１対の嵌合板と、該１対の嵌合板から延設され該１対の嵌合板を離れる方向に付勢する付勢板とを有する規制板をさらに備え、前記基板の両縁部を前記溝部に嵌合させて前記基板を保持するとともに、前記１対の嵌合板を前記溝部に嵌合して前記１対の嵌合板を前記基板の両端部に当接させて前記基板の移動を規制することを特徴とする。
【手続補正２】
【補正対象書類名】明細書
【補正対象項目名】０００８
【補正方法】変更
【補正の内容】
【０００８】
本発明に係る照明装置は、前記内挿部の一端側に設けられ、前記開口より大きい形状であって前記光源カバーの端部に当接する当接部を備えることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】変更
【補正の内容】
【００１４】
本発明に係る光源ユニットは、長尺の板体をなし、該板体の端部それぞれに形成された開口に連通する中空部を有する光源カバーと、該光源カバーの中空部に収容された光源部と、前記光源カバーの前記端部に装着され、前記中空部を密閉する密閉部とを備え、前記密閉部は、弾性を有し、前記中空部の開口側に内挿される内挿部を有し、該内挿部が前記中空部の開口側に内挿された場合、該内挿部は外側から内側に向かって圧縮された状態となり、前記光源部は、ＬＥＤが実装された長尺の基板と、該基板を保持する放熱板とを備え、前記放熱板は、長尺の底板と、該底板の両縁部から立設された一対の側板と、該一対の側板それぞれの対向面側に形成された溝部とを備え、１対の嵌合板と、該１対の嵌合板から延設され該１対の嵌合板を離れる方向に付勢する付勢板とを有する規制板をさらに備え、前記基板の両縁部を前記溝部に嵌合させて前記基板を保持するとともに、前記１対の嵌合板を前記溝部に嵌合して前記１対の嵌合板を前記基板の両端部に当接させて前記基板の移動を規制することを特徴とする。
【手続補正７】
【補正対象書類名】特許請求の範囲
【補正対象項目名】全文
【補正方法】変更
【補正の内容】
【特許請求の範囲】
【請求項１】
箱体をなし、該箱体の一面側に長尺の開口部が設けられた照明装置本体部と、
長尺の板体をなし、該板体の端部それぞれに形成された開口に連通する中空部を有する光源カバーと、
該光源カバーの中空部に収容された光源部と、
前記光源カバーの前記端部に装着され、前記中空部を密閉する密閉部と
を備え、
前記開口部を覆うように前記光源カバーを前記照明装置本体部に装着してあり、
前記密閉部は、
弾性を有し、前記中空部の開口側に内挿される内挿部を有し、
該内挿部が前記中空部の開口側に内挿された場合、該内挿部は外側から内側に向かって圧縮された状態となり、
前記光源部は、
ＬＥＤが実装された長尺の基板と、
該基板を保持する放熱板と
を備え、
前記放熱板は、
長尺の底板と、
該底板の両縁部から立設された一対の側板と、
該一対の側板それぞれの対向面側に形成された溝部と
を備え、
１対の嵌合板と、該１対の嵌合板から延設され該１対の嵌合板を離れる方向に付勢する付勢板とを有する規制板をさらに備え、
前記基板の両縁部を前記溝部に嵌合させて前記基板を保持するとともに、前記１対の嵌合板を前記溝部に嵌合して前記１対の嵌合板を前記基板の両端部に当接させて前記基板の移動を規制することを特徴とする照明装置。
【請求項２】
前記内挿部の一端側に設けられ、前記開口より大きい形状であって前記光源カバーの端部に当接する当接部を備えることを特徴とする請求項１に記載の照明装置。
【請求項３】
前記内挿部は、
前記光源カバーの前記開口側の内周壁に密着する外周壁と、
該外周壁の周方向に沿って形成された突条部と
を備えることを特徴とする請求項２に記載の照明装置。
【請求項４】
一端が前記放熱板に当接し、他端が前記光源カバーの前記放熱板と対向する内周壁に当接する弾性部材を備えることを特徴とする請求項１から請求項３のいずれか一項に記載の照明装置。
【請求項５】
長尺の板体をなし、該板体の端部それぞれに形成された開口に連通する中空部を有する光源カバーと、
該光源カバーの中空部に収容された光源部と、
前記光源カバーの前記端部に装着され、前記中空部を密閉する密閉部と
を備え、
前記密閉部は、
弾性を有し、前記中空部の開口側に内挿される内挿部を有し、
該内挿部が前記中空部の開口側に内挿された場合、該内挿部は外側から内側に向かって圧縮された状態となり、
前記光源部は、
ＬＥＤが実装された長尺の基板と、
該基板を保持する放熱板と
を備え、
前記放熱板は、
長尺の底板と、
該底板の両縁部から立設された一対の側板と、
該一対の側板それぞれの対向面側に形成された溝部と
を備え、
１対の嵌合板と、該１対の嵌合板から延設され該１対の嵌合板を離れる方向に付勢する付勢板とを有する規制板をさらに備え、
前記基板の両縁部を前記溝部に嵌合させて前記基板を保持するとともに、前記１対の嵌合板を前記溝部に嵌合して前記１対の嵌合板を前記基板の両端部に当接させて前記基板の移動を規制することを特徴とする光源ユニット。